(57)【要約】    【課題】  簡易な操作で詳細図などを表示することができ、いずれの対象についての詳細図などを表示しているかを直感的に把握することのできる地図情報システムを提供する。    【解決手段】  地図表示手段６は、記録部１２に記録されている地図１４が端末装置４において表示されるように、これを送信する。端末装置４のユーザは、表示された地図１４を参照して操作部を操作し、地図１４の建物のフロアを選択する。サーバ装置２の操作受付手段８は、端末装置４から送信されてきたユーザ操作を受信する。フロア表示手段１０は、ユーザ操作に基づいて、選択されたフロアの表示形態を他のフロアと異なるものとした表示データを生成する。さらに、当該選択されたフロアに対応するフロア詳細図１６を読み出し、表示データに含める。さらに、フロア表示手段１０は、この表示データを端末装置４において表示するため、送信する。【選択図】  図１
2014123025.tif 000002
【特許請求の範囲】
【請求項１】
地図およびフロア詳細図を記録する記録部と、
ユーザの操作を受け付ける操作部と、
操作部におけるユーザの操作を受け付ける操作受付手段と、
地図を表示するための表示部と、
記録部に記録された複数フロアを有する建物を含む地図を、表示部に表示する地図表示手段と、
表示部に表示された建物のいずれかのフロアが、ユーザ操作によって選択されると、選択されたフロアの表示形態を他のフロアと異なるようにするとともに、選択されたフロアに対応づけて記録部に記録されているフロア詳細図を表示部に表示するフロア表示手段と、
を備えたことを特徴とする地図情報装置。
【請求項２】
地図およびフロア詳細図を記録する記録部を有するコンピュータによって地図情報装置を実現するための地図情報プログラムであって、コンピュータを、
操作部におけるユーザの操作を受け付ける操作受付手段と、
複数フロアを有する建物を含む地図を、表示部に表示する地図表示手段と、
表示部に表示された建物のいずれかのフロアが、ユーザ操作によって選択されると、選択されたフロアの表示形態を他のフロアと異なるようにするとともに、選択されたフロアに対応づけて記録部に記録されているフロア詳細図を表示部に表示するフロア表示手段と、
して機能させるための地図情報プログラム。
【請求項３】
地図およびフロア詳細図を記録する記録部と、
端末装置から送信されてくる、ユーザの操作を受け付ける操作受付手段と、
記録部に記録された複数フロアを有する建物を含む地図を、端末装置の表示部に表示する地図表示手段と、
端末装置の表示部に表示された建物のいずれかのフロアが、ユーザ操作によって選択されると、選択されたフロアの表示形態を他のフロアと異なるようにするとともに、選択されたフロアに対応づけて記録部に記録されているフロア詳細図を表示部に表示するフロア表示手段と、
を備えたことを特徴とする地図情報サーバ装置。
【請求項４】
地図およびフロア詳細図を記録する記録部を有するコンピュータによって地図情報サーバ装置を実現するための地図情報サーバプログラムであって、コンピュータを、
端末装置から送信されてくる、ユーザの操作を受け付ける操作受付手段と、
記録部に記録された複数フロアを有する建物を含む地図を、端末装置の表示部に表示する地図表示手段と、
端末装置の表示部に表示された建物のいずれかのフロアが、ユーザ操作によって選択されると、選択されたフロアの表示形態を他のフロアと異なるようにするとともに、選択されたフロアに対応づけて記録部に記録されているフロア詳細図を表示部に表示するフロア表示手段と、
して機能させるための地図情報サーバプログラム。
【請求項５】
地図情報サーバ装置から受信した地図を表示部に表示する地図表示手段と、
ユーザの操作を受け付ける操作受付手段と、
表示部に表示された建物のいずれかのフロアが、ユーザ操作によって選択されると、選択されたフロアの表示形態を他のフロアと異なるようにするとともに、当該フロアが選択された旨を地図情報サーバ装置に送信するフロア選択表示手段と、
前記フロアが選択された旨の送信に対応して、地図情報サーバ装置から送信されてきた当該フロアのフロア詳細図を表示部に表示するフロア表示手段と、
を備えた端末装置。
【請求項６】
端末装置をコンピュータによって実現するための端末プログラムであって、コンピュータを、
地図情報サーバ装置から受信した地図を表示部に表示する地図表示手段と、
ユーザの操作を受け付ける操作受付手段と、
表示部に表示された建物のいずれかのフロアが、ユーザ操作によって選択されると、選択されたフロアの表示形態を他のフロアと異なるようにするとともに、当該フロアが選択された旨を地図情報サーバ装置に送信するフロア選択表示手段と、
前記フロアが選択された旨の送信に対応して、地図情報サーバ装置から送信されてきた当該フロアのフロア詳細図を表示部に表示するフロア表示手段と、
して機能させるための端末プログラム。
【請求項７】
請求項１〜６のいずれかの装置またはプログラムにおいて、
前記フロア表示手段は、選択されたフロアが、水平方向に飛び出すように表示することを特徴とする装置またはプログラム。
【請求項８】
請求項１〜７のいずれかの装置またはプログラムにおいて、
前記フロア詳細図には、ＧＰＳによって取得した現在の人の収容状況を表示することを特徴とする装置またはプログラム。
【請求項９】
平面的に同一の場所について複数種類の地図を記録する記録部と、
ユーザの操作を受け付ける操作部と、
操作部におけるユーザの操作を受け付ける操作受付手段と、
地図を表示するための表示部と、
記録部に記録された複数種類の地図のうちの少なくとも一つを、表示部に表示する地図表示手段と、
表示部に表示された地図の構造物の垂直方向に複数に区分された一つが、ユーザ操作によって選択されると、当該選択された区分の表示形態を他の区分と異なるようにするとともに、選択された区分に対応づけて記録部に記録されている種類の地図を表示部に表示する種類地図表示手段と、
を備えたことを特徴とする地図情報装置。
【請求項１０】
平面的に同一の場所について複数種類の地図を記録する記録部を有するコンピュータによって地図情報装置を実現するための地図情報プログラムであって、コンピュータを、
操作部におけるユーザの操作を受け付ける操作受付手段と、
記録部に記録された複数種類の地図のうちの少なくとも一つを、表示部に表示する地図表示手段と、
表示部に表示された地図の構造物の垂直方向に複数に区分された一つが、ユーザ操作によって選択されると、当該選択された区分の表示形態を他の区分と異なるようにするとともに、選択された区分に対応づけて記録部に記録されている種類の地図を表示部に表示する種類地図表示手段と、
して機能させるための地図情報プログラム。
【請求項１１】
平面的に同一の場所について複数種類の地図を記録する記録部と、
端末装置からから送信されてくる、ユーザの操作を受け付ける操作受付手段と、
記録部に記録された複数種類の地図のうちの少なくとも一つを、端末装置の表示部に表示する地図表示手段と、
端末装置の表示部に表示された地図の構造物の垂直方向に複数に区分された一つが、ユーザ操作によって選択されると、当該選択された区分の表示形態を他の区分と異なるようにするとともに、選択された区分に対応づけて記録部に記録されている種類の地図を表示部に表示する種類地図表示手段と、
を備えたことを特徴とする地図情報サーバ装置。
【請求項１２】
平面的に同一の場所について複数種類の地図を記録する記録部を有するコンピュータによって地図情報装置を実現するための地図情報プログラムであって、コンピュータを、
操作部におけるユーザの操作を受け付ける操作受付手段と、
記録部に記録された複数種類の地図のうちの少なくとも一つを、表示部に表示する地図表示手段と、
端末装置の表示部に表示された地図の構造物の垂直方向に複数に区分された一つが、ユーザ操作によって選択されると、当該選択された区分の表示形態を他の区分と異なるようにするとともに、選択された区分に対応づけて記録部に記録されている種類の地図を表示部に表示する種類地図表示手段と、
して機能させるための地図情報プログラム。
【発明の詳細な説明】
【技術分野】
【０００１】
この発明は、地図情報を表示するシステムに関するものである。
【背景技術】
【０００２】
地図に表示された建物のフロア詳細図を表示することのできるシステムが提案されている。たとえば、特許文献１のものでは、地図の下に設けられた文字リンクをクリックすることにより、建物や当該建物のフロアを選択して、フロア詳細図を表示するようにしている。
【先行技術文献】
【特許文献】
【０００３】
【特許文献１】特開２０１１−１４５１６４
【発明の概要】
【発明が解決しようとする課題】
【０００４】
しかしながら、上記従来技術では、フロア詳細図を表示するまでの手順が煩雑であり、また、いずれのフロアを表示しているかを直感的に把握することができない。
【０００５】
この発明は、上記のような問題点を解決して、簡易な操作で詳細図などを表示することができ、いずれの対象についての詳細図などを表示しているかを直感的に把握することのできる地図情報システムを提供することを目的とする。
【課題を解決するための手段】
【０００６】
(1)(2)この発明に係る地図情報装置は、地図およびフロア詳細図を記録する記録部と、ユーザの操作を受け付ける操作部と、操作部におけるユーザの操作を受け付ける操作受付手段と、地図を表示するための表示部と、記録部に記録された複数フロアを有する建物を含む地図を、表示部に表示する地図表示手段と、表示部に表示された建物のいずれかのフロアが、ユーザ操作によって選択されると、選択されたフロアの表示形態を他のフロアと異なるようにするとともに、選択されたフロアに対応づけて記録部に記録されているフロア詳細図を表示部に表示するフロア表示手段とを備えたことを特徴としている。
【０００７】
したがって、直感的な操作によりフロア詳細図を表示することができる。
【０００８】
(3)(4)この発明に係る地図情報サーバ装置は、地図およびフロア詳細図を記録する記録部と、端末装置から送信されてくる、ユーザの操作を受け付ける操作受付手段と、記録部に記録された複数フロアを有する建物を含む地図を、端末装置の表示部に表示する地図表示手段と、端末装置の表示部に表示された建物のいずれかのフロアが、ユーザ操作によって選択されると、選択されたフロアの表示形態を他のフロアと異なるようにするとともに、選択されたフロアに対応づけて記録部に記録されているフロア詳細図を表示部に表示するフロア表示手段とを備えたことを特徴としている。
【０００９】
したがって、直感的な操作によりフロア詳細図を表示することができる。
【００１０】
(5)(6)この発明に係る端末装置は、地図情報サーバ装置から受信した地図を表示部に表示する地図表示手段と、ユーザの操作を受け付ける操作受付手段と、表示部に表示された建物のいずれかのフロアが、ユーザ操作によって選択されると、選択されたフロアの表示形態を他のフロアと異なるようにするとともに、当該フロアが選択された旨を地図情報サーバ装置に送信するフロア選択表示手段と、前記フロアが選択された旨の送信に対応して、地図情報サーバ装置から送信されてきた当該フロアのフロア詳細図を表示部に表示するフロア表示手段とを備えている。
【００１１】
したがって、直感的な操作によりフロア詳細図を表示することができる。
【００１２】
(7)この発明に係る地図情報サーバ装置は、フロア表示手段が、選択されたフロアが、水平方向に飛び出すように表示することを特徴としている。
【００１３】
したがって、いずれのフロアが選択されているかを容易に知ることができる。
【００１４】
(8)この発明に係る地図情報サーバ装置は、フロア詳細図に、ＧＰＳによって取得した現在の人の収容状況を表示することを特徴としている。
【００１５】
したがって、当該フロアのリアルタイムな混雑状況をあわせて知ることができる。
【００１６】
(9)(10)この発明に係る地図情報サーバ装置は、平面的に同一の場所について複数種類の地図を記録する記録部と、ユーザの操作を受け付ける操作部と、操作部におけるユーザの操作を受け付ける操作受付手段と、地図を表示するための表示部と、記録部に記録された複数種類の地図のうちの少なくとも一つを、表示部に表示する地図表示手段と、表示部に表示された地図の構造物の垂直方向に複数に区分された一つが、ユーザ操作によって選択されると、当該選択された区分の表示形態を他の区分と異なるようにするとともに、選択された区分に対応づけて記録部に記録されている種類の地図を表示部に表示する種類地図表示手段とを備えたことを特徴としている。
【００１７】
したがって、直感的な操作により、種類地図を表示することができる。
【００１８】
(11)(12)この発明に係る地図情報サーバ装置は、平面的に同一の場所について複数種類の地図を記録する記録部と、端末装置からから送信されてくる、ユーザの操作を受け付ける操作受付手段と、記録部に記録された複数種類の地図のうちの少なくとも一つを、端末装置の表示部に表示する地図表示手段と、端末装置の表示部に表示された地図の構造物の垂直方向に複数に区分された一つが、ユーザ操作によって選択されると、当該選択された区分の表示形態を他の区分と異なるようにするとともに、選択された区分に対応づけて記録部に記録されている種類の地図を表示部に表示する種類地図表示手段とを備えたことを特徴としている。
【００１９】
したがって、直感的な操作により、種類地図を表示することができる。
【００２０】
「記録部」は、実施形態においては、ハードディスク２４がこれに対応する。
【００２１】
「操作部」は、実施形態においては、マウス／キーボード５８がこれに対応する。
【００２２】
「操作受付手段」は、実施形態においては、図４、図１３のステップＳ１２５がこれに対応する。
【００２３】
「表示部」は、実施形態においては、ディスプレイ４４がこれに対応する。
【００２４】
「地図表示手段」は、実施形態においては、図４、図１３のステップＳ１１、Ｓ１２がこれに対応する。
【００２５】
「フロア表示手段」は、実施形態においては、図４のステップＳ１３、Ｓ１４、Ｓ１５がこれに対応する。
【００２６】
「種類地図表示手段」は、実施形態においては、図１３のステップ１３、Ｓ１４、Ｓ１５がこれに対応する。
【００２７】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００２８】
【図１】この発明の一実施形態による地図情報サーバ装置の機能ブロック図である。
【図２】地図情報サーバ装置２のハードウエア構成である。
【図３】端末装置４のハードウエア構成である。
【図４】地図情報サーバプログラム３４のフローチャートである。
【図５】表示された地図の例である。
【図６】フロアを選択する状態を示す図である。
【図７】フロアのスライド表示例である。
【図８】フロア詳細図を示す図である。
【図９】ハードディスク２４に記録されたフロア詳細図のデータである。
【図１０】他の例における表示例である。
【図１１】他の実施形態によるフローチャートである。
【図１２】他の実施形態による機能ブロック図である。
【図１３】第二の実施形態による地図情報サーバ装置の機能ブロック図である。
【図１４】地図情報サーバプログラム３４のフローチャートである。
【図１５】地図の表示例である。
【図１６】種類地図の表示例である。
【発明を実施するための形態】
【００２９】
１．第一の実施形態
1.1機能ブロック図
図１に、この発明の一実施形態による地図情報サーバ装置の機能ブロック図を示す。サーバ装置２には、インターネットを介して、端末装置４が接続可能となっている。サーバ装置２の記録部１２には、地図１４、フロア詳細図１６が記録されている。地図表示手段６は、記録部１２に記録されている地図１４が端末装置４において表示されるように、これを送信する。端末装置４のユーザは、表示された地図１４を参照して操作部を操作し、地図１４の建物のフロアを選択する。
【００３０】
サーバ装置２の操作受付手段８は、端末装置４から送信されてきたユーザ操作を受信する。フロア表示手段１０は、ユーザ操作に基づいて、選択されたフロアの表示形態を他のフロアと異なるものとした表示データを生成する。さらに、当該選択されたフロアに対応するフロア詳細図１６を読み出し、表示データに含める。さらに、フロア表示手段１０は、この表示データを端末装置４において表示するため、送信する。
【００３１】
以上のようにして、端末装置４において、建物のフロアを選択することで、選択されたフロアが明示されつつ、そのフロア詳細図をあわせて表示することができる。
【００３２】
1.2ハードウエア構成
図２に、地図情報サーバ装置２のハードウエア構成を示す。ＣＰＵ２０には、メモリ２２、ハードディスク２４、ＤＶＤ−ＲＯＭドライブ２６、通信回路２８が接続されている。通信回路２８は、インターネットに接続するためのものである。ハードディスク２４には、WINDOWS（商標）などのオペレーティングシステム３２、地図情報サーバプログラム３４、地図３６、フロア詳細図３８が記録されている。地図情報サーバプログラム３４は、オペレーティングシステム３２と協働してその機能を発揮するものである。
【００３３】
オペレーティングシステム３２、地図情報サーバプログラム３４は、ＤＶＤ−ＲＯＭ３０に記録されていたものを、ＤＶＤ−ＲＯＭドライブ２６を介して、ハードディスク２４にインストールしたものである。
【００３４】
図３に、端末装置４のハードウエア構成を示す。ＣＰＵ４０には、メモリ４２、ディスプレイ４４、ハードディスク４６、ＤＶＤ−ＲＯＭドライブ４８、通信回路５０、マウス／キーボード５８が接続されている。通信回路５０は、インターネットに接続するためのものである。ハードディスク４６には、WINDOWS（商標）などのオペレーティングシステム５２、ブラウザ５４が記録されている。ブラウザ５４は、オペレーティングシステム５２と協働してその機能を発揮するものである。
【００３５】
オペレーティングシステム５２、ブラウザ５４は、ＤＶＤ−ＲＯＭ５６に記録されていたものを、ＤＶＤ−ＲＯＭドライブ４８を介して、ハードディスク４６にインストールしたものである。
【００３６】
1.3地図表示処理
図４に、端末装置４のブラウザ５４のフローチャートと、地図情報サーバ装置２の地図情報サーバプログラム３４のフローチャートを示す。まず、端末装置４のＣＰＵ４０（以下、端末装置４と省略することがある）は、通信回路５０によって地図情報サーバ装置２にアクセスし、所望の地図を送信するように要求する（ステップＳ１）。所望の地図は、住所によって指定したり、地図上でマウス／キーボード５８によって指定したりすることができる。
【００３７】
地図送信の要求を受けた地図情報サーバ装置２のＣＰＵ２０（以下、地図情報サーバ装置２と省略することがある）は、指定された地図をハードディスク２４から読み出す（ステップＳ１１）。続いて、地図情報サーバ装置２は、読み出した地図を、通信回路２８によって端末装置４に送信する（ステップＳ１２）。
【００３８】
端末装置４は、送信されてきた地図を受信し（ステップＳ２）、ディスプレイ４４にて表示する（ステップＳ３）。図５に、表示された地図の例を示す。この地図は、ビルなどの高さのある建物を立体的に表示するように構成されている。各建物のにおいて、フロアを区分するように、フロア境界線６０が設けられている。
【００３９】
端末装置４のユーザは、この地図を見ながら、マウス／キーボード５８を操作して、詳細図を参照したいフロアを指定する。この指定は、次のようにして行う。マウス／キーボード５８を操作してマウスカーソル６２を、詳細図を参照したいビルに近づける。マウスカーソル６２の位置は、端末装置４から地図情報サーバ装置２に送信される。これを受けて、地図情報サーバ装置２は、図６に示すように、マウスカーソル６２の近傍のフロアの色を変えた地図を生成し、端末装置４に送信する。端末装置４は、図６に示す地図を表示する。
【００４０】
以上の処理により、ユーザがマウス／キーボード５８を移動させると、これに対応して、色の変わったフロアも移動することになる。ユーザが、マウス／キーボード５８によって、色の変わったフロアを選択すると（たとえば、マウスの右ボタンをクリックすると）、その選択情報（後述のフロアＩＤを含む情報）が、地図情報サーバ装置２に送信される（ステップＳ４）。
【００４１】
フロアの選択情報を受け取った地図情報サーバ装置２は、図７に示すように、選択されたフロア６６をスライドさせて突出させた画像を生成する（ステップＳ１３）。続いて、地図情報サーバ装置２は、選択されたフロアのフロア詳細図３８を、ハードディスク２４から読み出す（ステップＳ１４）。図９に、フロア詳細図３８の例を示す。各ビルの各フロアごとに、ユニークなＩＤが付けられている。このＩＤは、図８の地図において、対応する各フロアの属性として記録されている。各フロアに対応して、当該フロアのフロア詳細図３８が画像として記録されている。また、当該フロアについての説明が文字データとして記録されている。
【００４２】
たとえば、図８のような状態であれば、地図情報サーバ装置２は、選択されたフロア６６のフロア詳細図３８と説明を読み出す。そして、ステップＳ１３にて生成した画像と、フロア詳細図３８、説明をまとめた組合せ画像を生成し、送信する（ステップＳ１５）。
【００４３】
端末装置４は、この組合せ画像を受信する（ステップＳ５）。さらに、受信した組合せ画像を、ディスプレイ４４にて表示する（ステップＳ６）。表示された組合せ画像を、図８に示す。このように、選択されたフロア６６が飛び出した状態で表示され、そのフロア詳細図７０、説明７２があわせて表示されることになる。
【００４４】
図８のような状態から、ユーザがマウス／キーボード５８を操作することにより（たとえば、マウスの左クリックを行うことにより）、これが地図情報サーバ装置２に送信されて、図６のような状態に戻る。
【００４５】
1.4その他
(1)上記実施形態では、選択されたフロアの色を変え、スライドさせて表示することにより、他のフロアと区別するようにしている。しかし、色を変えるだけ、スライドさせるだけで区別するようにしてもよい。
【００４６】
あるいは、図１０に示すように、選択されたフロア６６とフロア詳細図７０とをつなぐ引き出し線６８を表示することで、選択されたフロア６６の表示形態を他のフロアと異ならせてもよい。また、図１０のような引き出し線６８と、上述の色、スライドを組み合わせて用いてもよい。
【００４７】
(2)上記実施形態では、フロアの境界を線によって表すようにしている。しかしながら、線に代えてあるいは線に加えて、フロアごとに異なる色を用いるようにしてもよい。
【００４８】
(3)また、地図において、各フロアの属性として、オフィスビルやマンションの当該フロアにおける入居率や、用途（ホテル、レストラン、会議場など）などを記録するようにしてもよい。さらに、これらの属性に応じて、各フロアの色を異ならせて表示するようにしてもよい。
【００４９】
たとえば、フロアごとの入居率によって色を異ならせた場合、空きのあるフロアを簡単に選択することができ、そのフロアの詳細を見ることができる。この場合、フロア詳細図において、いずれの部屋が空いているかの情報を表示することが好ましい。
【００５０】
また、各人が有する携帯電話、スマートフォンなどのＧＰＳ機能を用いて、各人の現在位置（高さ情報を含む）を地図情報サーバ装置２に記録するようにする。これにより、各フロアに現在存在する人をフロア詳細図に重ねて表示することが可能となる。これによって、スーパーマーケットなどの混雑状況をリアルタイムに把握することができる。
【００５１】
(4)上記実施形態では、マウスカーソル６２の移動に伴って、色を変えるフロアを移動させる処理は、地図情報サーバ装置２にて行っている。しかし、マウスカーソル６２の位置を、その都度地図情報サーバ装置２に送信するのは処理が煩雑である。そこで、マウスカーソル６２の移動に伴って、色を変えるフロアを移動させる処理は、端末装置４の側で行うようにしてもよい。この場合には、通常のブラウザ５４ではなく、そのような処理を行うことができる専用のプログラムを端末装置４に記録する必要がある。
【００５２】
図１１に、このような専用プログラムを端末装置４にインストールした場合の、フローチャートを示す。なお、専用プログラムは、ＤＶＤ−ＲＯＭからインストールしてもよいし、アプリケーションサーバ装置（図示せず）からダウンロードしてインストールするようにしてもよい。
【００５３】
マウス／キーボード５８によって、フロアの選択がなされると（ステップＳ３５）、端末装置４は、選択されたフロア６６をスライドさせて突出させた画像を生成する（ステップＳ３６）。続いて、端末装置４は、フロア６６が選択された旨を、地図情報サーバ装置２に送信する（ステップＳ４）。
【００５４】
地図情報サーバ装置２はこれを受信し（ステップＳ１２５）、選択されたフロア６６のフロア詳細図３８と説明を読み出す（ステップＳ１４）。続いて、地図情報サーバ装置２は、フロア詳細図３８と説明を、端末装置４に送信する（ステップＳ１５）。
【００５５】
端末装置４は、このフロア詳細図３８を受信する（ステップＳ５）。さらに、フロア詳細図３８と地図を、ディスプレイ４４にて表示する（ステップＳ６）。表示された組合せ画像を、図８に示す。このように、選択されたフロア６６が飛び出した状態で表示され、そのフロア詳細図７０、説明７２があわせて表示されることになる。
【００５６】
なお、ステップＳ１２において、地図を送信する際に、当該地図に含まれるフロア詳細図を予め送信するようにしてもよい。このようにすれば、ステップＳ１４、Ｓ１５の処理も、端末装置４の側で行うことができ、処理速度を向上することができる。
【００５７】
(5)上記実施形態では、端末装置４と地図情報サーバ装置２によってシステムを構築している。しかし、スタンドアローンの地図情報装置によって、これを実現するようにしてもよい。この場合の、地図情報装置の機能ブロック図を、図１２に示す。
【００５８】
この地図情報装置は、ディスプレイなどの表示部１２０、マウス／キーボードなどの操作部１２２を備えたコンピュータである。そのハードウエア構成は、図３のものと同様である。ただし、ハードディスク４６には、地図情報プログラムが記録される。
【００５９】
図１２において、記録部１１２には、地図１１４、フロア詳細図１１６が記録されている。地図表示手段１０６は、記録部１１２に記録されている地図１１４を表示部１２０に表示する。ユーザは、表示部１２０に表示された地図１１４を参照して操作部１２２を操作し、地図１１４の建物のフロアを選択する。操作受付手段１０８は、操作部１２２によるユーザの操作を受け付ける。
【００６０】
フロア表示手段１１０は、ユーザ操作に基づいて、選択されたフロアの表示形態を他のフロアと異なるものとした表示データを生成する。さらに、当該選択されたフロアに対応するフロア詳細図１１６を読み出し、表示データに含める。さらに、フロア表示手段１１０は、この表示データを表示部１２０において表示する。
【００６１】
なお、地図情報プログラムの処理は、前述の地図情報サーバプログラムの処理と同様である。
【００６２】
２．第二の実施形態
2.1機能ブロック図
図１３に、この発明の一実施形態による地図情報サーバ装置の機能ブロック図を示す。サーバ装置２０２には、インターネットを介して、端末装置２０４が接続可能となっている。サーバ装置２０２の記録部２１２には、地図２１４、複数の種類地図２１６が記録されている。地図表示手段２０６は、記録部２１２に記録されている地図２１４が端末装置２０４において表示されるように、これを送信する。
【００６３】
地図２１４上には、垂直方向に複数に区分された構造物が設けられている。端末装置２０４のユーザは、表示された地図２１４を参照して操作部を操作し、垂直方向に区分された当該構造物のいずれかの領域を選択する。
【００６４】
サーバ装置２０２の操作受付手段２０８は、端末装置２０４から送信されてきたユーザ操作を受信する。種類地図表示手段２１０は、ユーザ操作に基づいて、構造物における選択された領域の表示形態を他の領域と異なるものとする。さらに、当該選択された領域に対応する種類地図を読み出し、表示データを生成する。さらに、フロア表示手段１０は、この表示データを端末装置４において表示するため、送信する。
【００６５】
以上のようにして、端末装置４において、構造物の領域を選択することで、選択された領域が明示されつつ、当該構造物に関する種類地図を表示することができる。
【００６６】
2.2ハードウエア構成
地図情報サーバ装置２、端末装置４のハードウエア構成は、図２、図３に示すものと同様である。ただし、地図情報サーバ装置２のハードディスク２４には、フロア詳細図３８に代えて、種類地図２１６が記録されている点が異なる。
【００６７】
2.3地図表示処理
図１４に、端末装置４のブラウザ５４のフローチャートと、地図情報サーバ装置２の地図情報サーバプログラム３４のフローチャートを示す。基本的な処理の流れは、図４と同様である。
【００６８】
端末装置４のディスプレイ４４において表示される地図を、図１５に示す。この地図には、構造物として電柱３００が表示されている。この電柱３００は、上部分と下部分の２つの領域に区分されている。ユーザが端末装置４のマウス／キーボード５８を操作して、マウスカーソル６２を電柱３００に近づけると、近傍の領域（図においては上部分）の色が変化する。この状態において、マウス／キーボード５８により選択がなされると（マウスの左クリックなど）、当該選択された領域が指定された旨が送信される（ステップＳ４）。
【００６９】
地図情報サーバ装置２は、これを受けて、図１５に示すように、電柱３００の上部分をスライドさせるとともに、地上における電灯線の配線を示す種類地図を読み出して送信する（ステップＳ１３、Ｓ１４、Ｓ１５）。端末装置４は、これを受信して、ディスプレイ４４に表示する（ステップＳ５、Ｓ６）。
【００７０】
また、ステップＳ４において、電柱３００の下部分を選択して送信すると、同一平面に関する地下における電灯線の配線を示す種類地図が表示されることになる。
【００７１】
以上のように、この実施形態によれば、構造物の領域を選択することにより、これに対応して記録されている種類地図を表示することができる。電線の他、水道管、下水、ビルの電気配線図、強度計算図などを種類地図として準備することができる。
【００７２】
2.4その他
第一の実施形態において記載したその他の形態は、この第二の実施形態においても適用することができる。
【図１】
2014123025.tif 000003
【図２】
2014123025.tif 000004
【図３】
2014123025.tif 000005
【図４】
2014123025.tif 000006
【図５】
2014123025.tif 000007
【図６】
2014123025.tif 000008
【図７】
2014123025.tif 000009
【図８】
2014123025.tif 000010
【図９】
2014123025.tif 000011
【図１０】
2014123025.tif 000012
【図１１】
2014123025.tif 000013
【図１２】
2014123025.tif 000014
【図１３】
2014123025.tif 000015
【図１４】
2014123025.tif 000016
【図１５】
2014123025.tif 000017
【図１６】
2014123025.tif 000018